(57)【要約】      （修正有）【課題】重い品物を入れて持ち運んでも、破けたりすることがない丈夫な手提げ袋を提供する。【解決手段】上面を開放した有底の袋体３の内面に、把手４の基端部を取り付けるとともに、袋体３の上部を重ね合わせて閉じた状態で、袋体３の上部を後壁９側に折り返してカバー部１０を形成し、この折返線１１に沿って前壁８に設けられた開口部２から、袋体３内に設けられた把手４を引き出し可能とした手提げ袋であって、把手４の基端部を該開口部２より下方である袋体３の本体側に設ける。【選択図】図１
0003130177.tif 000002
【実用新案登録請求の範囲】
【請求項１】
上面を開放した有底の袋体の内面に、把手の基端部を取り付けるとともに、袋体の上部を重ね合わせて閉じた状態で、袋体の上部を後壁側に折り返してカバー部を形成し、この折返線に沿って前壁に設けられた開口部から、袋体内に設けられた把手を引き出し可能とした手提げ袋であって、把手の基端部を該開口部より下方である袋体の本体側に設けたことを特徴とする手提げ袋。
【請求項２】
上面を開放した有底の袋体の対向する前壁と後壁の内面に、一対の略Ｕ字状の把手の基端部を当てシートで貼着するとともに、袋体の上部を重ね合わせて閉じた状態で、袋体の上部を後壁側に折り返してカバー部を形成し、この折返線に沿って前壁に設けられた開口部から、袋体内に設けられた一対の把手を引き出し可能とした手提げ袋であって、先端が上方に向くように、把手の基端部を、該開口部より下方である袋体の本体側に取り付けたことを特徴とする手提げ袋。
【請求項３】
袋体、把手、当てシートを、全て紙製とした請求項２記載の手提げ袋。
【考案の詳細な説明】
【技術分野】
【０００１】
本考案は、袋の中身が見えず、しかも、盗難防止効果をも有する手提げ袋に関するものである。
【背景技術】
【０００２】
従来の手提げ袋としては、有底袋の上部開口端縁近傍の袋裏面の各々にさげ手先端部が下方を向くようにしてさげ手基端部を貼付し、該さげ手基端部貼付箇所のやや下方の袋面の一方に水平方向の切込みを入れて、該切込みに２つのさげ手先端部を通して袋外側へ該さげ手を出せるようにし、該切込みに沿って折り曲げて使用するものがある（例えば、特許文献１参照。）。
【０００３】
【特許文献１】特開昭６４−３５４８４３号公報（第１図−第３図）
【考案の開示】
【考案が解決しようとする課題】
【０００４】
しかし、特許文献１の構成では、さげ手基端部貼付箇所が、折り曲げた切込みより上方の部分に設けられているので、品物を袋内に入れて持ち運びすると、さげ手基端部である上方の紙袋部分に品物の荷重がかかり、切込みに沿って紙袋が破けてしまうといった問題点があった。
【０００５】
そこで、本考案は、このような課題を解決するためになされたものであり、重い品物を入れて持ち運んでも、破けたりすることがない丈夫な手提げ袋を提供することを目的とする。
【課題を解決するための手段】
【０００６】
本考案に係る手提げ袋は、上面を開放した有底の袋体の内面に、把手の基端部を取り付けるとともに、袋体の上部を重ね合わせて閉じた状態で、袋体の上部を後壁側に折り返してカバー部を形成し、この折返線に沿って前壁に設けられた開口部から、袋体内に設けられた把手を引き出し可能とした手提げ袋であって、把手の基端部を該開口部より下方である袋体の本体側に設けたことを特徴とする手提げ袋である。
【０００７】
また、上面を開放した有底の袋体の対向する前壁と後壁の内面に、一対の略Ｕ字状の把手の基端部を当てシートで貼着するとともに、袋体の上部を重ね合わせて閉じた状態で、袋体の上部を後壁側に折り返してカバー部を形成し、この折返線に沿って前壁に設けられた開口部から、袋体内に設けられた一対の把手を引き出し可能とした手提げ袋であって、先端が上方に向くように、把手の基端部を、該開口部より下方である袋体の本体側に取り付けたことを特徴とする手提げ袋である。
【０００８】
更に、袋体、把手、当てシートを、全て紙製とすることもできる。
【考案の効果】
【０００９】
請求項１に係る手提げ袋によれば、把手の基端部が、開口部より下方である袋体の本体側に取り付けられているので、袋内に品物を入れて持ち運びしても、品物の荷重が袋体の本体側にかかり、開口部にかかることがないので、使用している途中に、品物の荷重によって袋体が破けたりすることがなく、強度的に優れた手提げ袋とすることができる。
【００１０】
請求項２に係る手提げ袋によれば、略Ｕ字状の一対の把手の基端部が、開口部より下方である袋体の本体側に当てシートで取り付けられているので、袋内に品物を入れて持ち運びしても、品物の荷重が袋体の本体側にかかり、開口部にかかることがないので、使用している途中に、品物の荷重によって袋体が破けたりすることがなく、強度的に優れた手提げ袋とすることができる。
また、上記構造の手提げ袋によれば、略Ｕ字形の把手が、先端が上方に向くように取り付けられているので、開口部から取手を引き出すのを容易に行うことができる。
【００１１】
請求項３に係る手提げ袋によれば、全ての材質を紙製とした場合であっても、上記構造とすることにより、強度的に劣ることはない。
【考案を実施するための最良の形態】
【００１２】
次に、本考案の実施の形態を添付図面に基づいて説明する。
図１〜図５は、本考案の実施の形態に係る手提げ袋に関するものであり、図１は斜視図であり、図２は把手を引き出した状態の斜視図であり、図３は前方から見た使用状態を示す斜視図であり、図４は後方から見た使用状態を示す斜視図、図５は展開図である。
【００１３】
手提げ袋１は、図１に示すように、開口部２を有する袋体３、一対の把手４，４、当てシート５、封印シール６で構成されており、全て紙製のものである。
【００１４】
袋体３は、図１に示すように、両側面にひだ７を有する紙製の角底袋であり、袋体上部を重ね合わせた状態で、袋体上部を後壁９側に折返してカバー部１０を形成し、このカバー部１０の折返線１１に沿って、前壁８には開口部２が設けられている。図例の開口部２では、切込線であるが、一対の把手４，４を引き出すことができる大きさのものであればよく、例えば、ある程度幅を有する大きめの開口であってもよい。
【００１５】
把手４は、略Ｕ字形に成形された紙製の平紐である。そして、図５に示すように、この略Ｕ字形の把手４の基端部を、長方形の当てシート５を用いて、袋体３の前壁８と後壁９の内面に貼り付けて取り付けている。しかも、前記開口部２より下方である本体側３ａに位置するように、先端を上方に向けて、略Ｕ字形の把手４の基端部を当てシート５で貼り付けられており、把手４は、２点鎖線で示されているように、把手４の先端が袋体３の上端縁よりやや下方に位置するように設定されている。そして、その後、把手４が、先端が下方に向くように、当てシート５の上縁に沿って折り返され、その状態に保持されている。
図例の手提げ袋１では、把手４が一対設けられているが、特に一対設ける必要はなく、いずれかの一方、例えば、後壁９内面にのみ設けたものであってもよく、また、把手４に丸紐を用いることもでき、更に、把手４の形状は、略Ｕ字形に限定されず、Ｔ字形などのさまざまな形状の把手４を採用することができる。また、図例の手提げ袋１では、先端を上方に向けて、略Ｕ字形の把手４の基端部を当てシート５で貼り付けられているが、把手４を長くすれば、先端を下方に向けて、取り付けることも可能である。
【００１６】
図例の手提げ袋１では、図５の展開図に示すように、長方形のシート１２に、折り線１３が設けられており、このシート１２を折り線１３に沿って折ることにより、図１に示すような手提げ袋１を組み立てることができる。
【００１７】
封印シール６は、カバー部１０が跳ね上がるのを防止するために、貼着するためのシールであり、表面に「封」と記されている。
【００１８】
このように、図例の手提げ袋１によれば、品物を袋体３内に収納した後、一対の把手４，４を立起させるとともに、袋体３の上部をひだ７に沿って重ね合わせ、図２に示すように、この把手４，４を袋体３の開口部２から引き出し、更に、折返線１１に沿って袋体３の上部を後壁９側に折り返してカバー部１０を形成することができ、このカバー部１０と後壁９の間に位置するように、封印シール６を貼り付けて閉じることができる。
なお、封印シール６は、背面の剥離シートを外した後貼り付けてもよく、また、最初から封印シール６の一部をカバー部１０に貼り付けた状態のものであってもよい。
【００１９】
よって、上記構造の手提げ袋１によれば、略Ｕ字状の一対の把手４基端部が、開口部２より下方である袋体３の本体側３ａに当てシート５で取り付けられているので、袋内に品物を入れて持ち運びしても、品物の荷重が袋体３の本体側３ａにかかり、開口部２にかかることがないので、使用している途中に、品物の荷重によって袋体３が破けたりすることがなく、強度的に優れた手提げ袋とすることができる。特に、上述した手提げ袋１のように、全ての材質を紙製とした場合であっても、上記構造とすることにより、強度的に劣ることはない。
また、上記構造の手提げ袋１によれば、図５に示すように、略Ｕ字形の把手４が、先端が上方に向くように取り付けられているので、開口部２から取手を引き出すのを容易に行うことができる。
【００２０】
なお、上述した手提げ袋１では、全て紙製としているが、全てを又は一部を合成樹脂製、ラミネート製にすることも可能である。
【図面の簡単な説明】
【００２１】
【図１】本考案の実施の形態に係る手提げ袋の斜視図である。
【図２】同じく、把手を引き出した状態の斜視図である。
【図３】同じく、前方から見た使用状態を示す斜視図である。
【図４】同じく、後方から見た使用状態を示す斜視図である。
【図５】同じく、展開図である。
【符号の説明】
【００２２】
１  手提げ袋
２  開口部
３  袋体
４  把手
５  当てシート
６  封印シール
７  ひだ
８  前壁
９  後壁
１０  カバー部
１１  折返線
１２  シート
１３  折り線
【図１】
0003130177.tif 000003
【図２】
0003130177.tif 000004
【図３】
0003130177.tif 000005
【図４】
0003130177.tif 000006
【図５】
0003130177.tif 000007